【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
長手軸を有する菓子ペレットの積み重ね体のパッケージであって、前記長手軸は前記積み重ね体の全てのペレットを貫通し、該パッケージは前記積み重ね体を覆うシート包装体を含み、該包装体は、前記積み重ね体の周りに巻き付けられ、また巻き付けに先立ち、該包装体は、前記積み重ね体の長手軸と平行になるように整列させられた対向側縁と、前記積み重ね体の夫々の端を越えて突出する対向長手方向端縁とを有し、前記包装体は、前記対向側縁が重なり合う状態で、前記積み重ね体を前記長手軸を中心にして取り囲む側壁部を形成するために、前記積み重ね体に沿って周方向に巻き付けられ、また、前記包装体の長手方向端縁各々は、前記積み重ね体の夫々の軸端を封じ込める包装体の端蓋を形成するために、前記積み重ね体の夫々の軸端の上に重なるように折り畳まれるフラップとなり、且つ、各端蓋を形成するこれらフラップの少なくとも幾つかが互いに重なり合うように形成され、前記包装体は更に、使用者が該包装体を線に沿って裂くことにより前記パッケージを開放するのを補助するための、前記長手軸を中心として延出する裂き誘導体を含んでおり、
前記裂き誘導体は、外側長手方向縁と、該外側長手方向縁から離間する内側長手方向縁とを含むと共に、少なくともその外側長手方向縁が前記端蓋の一方内に配置されるように位置決めされ、更に、前記裂き誘導体は、前記端蓋の一方において少なくとも２つの重なり合うフラップに亘って延出することを特徴とするパッケージ。
【請求項２】
前記裂き誘導体の内側長手方向縁は、前記包装体の側壁部に配置されることを特徴とする請求項１に記載のパッケージ。
【請求項３】
前記裂き誘導体の内側長手方向縁は、前記端蓋の縁から３ミリメートル以下に配置され、好適には、前記裂き誘導体の内側長手方向縁は、前記端蓋の縁から２ミリメートル以下に、特に１．５ミリメートル以下に配置されることを特徴とする請求項２に記載のパッケージ。
【請求項４】
前記裂き誘導体の内側長手方向縁は更に、前記端蓋に配置されることを特徴とする請求項１に記載のパッケージ。
【請求項５】
前記裂き誘導体は、帯状材料を前記包装体の内面に固定することにより形成され、前記帯を作る材料は、前記包装体の残りの部分の材料よりも強度を有することを特徴とする請求項１乃至４のいずれか一項に記載のパッケージ。
【請求項６】
前記帯は、高分子、好適にはプラスチック材料を含むことを特徴とする請求項５に記載のパッケージ。
【請求項７】
前記裂き誘導体は、前記包装体の幅方向において少なくとも部分的に延出する２本の間隔があけられた脆弱線の間に画定されることを特徴とする請求項１乃至４のいずれか一項に記載のパッケージ。
【請求項８】
前記脆弱線は、エッチングにより、前記包装体の内面に形成されることを特徴とする請求項７に記載のパッケージ。
【請求項９】
前記脆弱線は、レーザエッチングにより、前記包装体の内面に形成されることを特徴とする請求項８に記載のパッケージ。
【請求項１０】
前記裂き誘導体は、前記包装体が前記積み重ね体に沿って形成される前に、該包装体の第１長手方向端縁と実質的に平行に形成され、前記裂き誘導体の外側長手方向縁は、前記包装体の第１長手方向端縁から、５ミリメートルから１０ミリメートルの範囲の距離だけ間隔があけられており、また該裂き誘導体の内側長手方向縁は、該包装体の第１長手方向端縁から、６ミリメートルから１２ミリメートルの範囲の距離だけ間隔があけられることを特徴とする請求項１乃至９のいずれか一項に記載のパッケージ。
【請求項１１】
前記裂き誘導体は、前記端蓋の一方の全体又は一部を、部分的にのみ取り囲むことを特徴とする請求項１乃至１０のいずれか一項に記載のパッケージ。
【請求項１２】
前記裂き誘導体は、曲線経路をなすように延出することを特徴とする請求項１乃至１１のいずれか一項に記載のパッケージ。
【請求項１３】
前記菓子ペレットは、チューインガムペレットであることを特徴とする請求項１乃至１２のいずれか一項に記載のパッケージ。
【請求項１４】
長手軸を有する菓子ペレットの積み重ね体の包装方法であって、前記長手軸は前記積み重ね体の全てのペレットを貫通し、該方法は、対向側縁及び対向長手方向端縁を有するシート包装体を、菓子ペレットの積み重ね体に隣接して、前記対向側縁が前記積み重ね体の長手軸と平行となるように整列させられ、かつ、前記対向長手方向端縁が前記積み重ね体の夫々の端を越えて突出するように、位置決めする工程と、前記対向側縁が重なり合う状態で、前記積み重ね体を前記長手軸を中心にして取り囲む側壁部を形成するために、前記包装体を積み重ね体に沿って周方向に巻き付ける工程と、前記積み重ね体の夫々の軸端を封じ込める前記包装体の端蓋を形成するために、前記積み重ね体の夫々の軸端の上に重なるように折り畳まれるフラップとなり、且つ、各端蓋を形成するこれらフラップの少なくとも幾つかが互いに重なり合うように、該包装体の長手方向端各々を形成する工程とを含み、前記包装体は更に、使用者が該包装体を線に沿って裂くことにより前記パッケージを開放するのを補助するための、前記長手軸を中心として延出する裂き誘導体を含んでおり、
前記裂き誘導体は、外側長手方向縁と、該外側長手方向縁から離間する内側長手方向縁とを含むことと、前記方法は、前記裂き誘導体が前記長手軸の周りに延出すると共に、前記裂き誘導体の少なくとも外側長手方向縁が前記包装体の端蓋内に配置され、更に、前記包装体が完全に形成された時に、前記裂き誘導体が前記端蓋において少なくとも２つの重なり合うフラップに亘って延出するように、前記裂き誘導体を位置決めする工程を含むこととを特徴とする方法。
【請求項１５】
前記方法は更に、前記裂き誘導体の内側長手方向縁が、前記包装体の側壁部に配置されるように、該裂き誘導体を位置決めする工程を含むことを特徴とする請求項１４に記載の方法。
【請求項１６】
前記方法は更に、前記裂き誘導体の内側長手方向縁が、前記端蓋の縁から３ミリメートル以下であるように、前記裂き誘導体を位置決めする工程を含み、好適には、前記方法は、前記内側長手方向縁が、前記端蓋の縁から２ミリメートル以下、また特に１．５ミリメートル以下であるように、該裂き誘導体を位置決めする工程を含むことを特徴とする請求項１５に記載の方法。
【請求項１７】
前記方法は、前記裂き誘導体の外側及び内側長手方向縁の両方が、前記包装体の端蓋内に配置されるように、該裂き誘導体を位置決めする工程を含むことを特徴とする請求項１４に記載の方法。
【請求項１８】
前記方法は、完成包装体において、前記端蓋の少なくとも一部を部分的にのみ取り囲むように、該包装体の第１側縁から、該包装体の幅方向において部分的にのみ延出する裂き誘導体を、該包装体に形成する工程を含むことを特徴とする請求項１４乃至１７のいずれか一項に記載の方法。
【請求項１９】
前記方法は、帯状材料を前記包装体の内面に固定することにより、該包装体に裂き誘導体を形成する工程を含むことを特徴とする請求項１４乃至１８のいずれか一項に記載の方法。
【請求項２０】
前記方法は、前記包装体に２本の間隔があけられた脆弱線を形成する工程を含み、該脆弱線は、裂き誘導体をその間に画定するために、該包装体の幅方向において少なくとも部分的に延出することを特徴とする請求項１４乃至１８のいずれか一項に記載の方法。
【請求項２１】
前記脆弱線は、エッチングを行うことにより前記包装体の内面上に形成されることを特徴とする請求項２０に記載の方法。
【請求項２２】
前記脆弱線は、前記包装体の内面にレーザエッチングを行うことにより形成されることを特徴とする請求項２１に記載の方法。
【請求項２３】
前記方法は、前記裂き誘導体の外側長手方向縁が、前記包装体の第１長手方向端縁から、５ミリメートルから１０ミリメートルの範囲の距離だけ間隔があけられており、また該裂き誘導体の内側長手方向縁が、前記包装体の第１長手方向端縁から、６ミリメートルから１２ミリメートルの範囲の距離だけ間隔があけられるように、該包装体に裂き誘導体を形成する工程を含むことを特徴とする請求項１４乃至２２のいずれか一項に記載の方法。
【請求項２４】
前記方法は、チューインガムペレットの包装に適用されることを特徴とする請求項１４乃至２３のいずれか一項に記載の方法。